(57)【要約】【課題】  上部に通される可能性のある様々な径及び形状の不凍栓に対応可能な構造を有するカバーを提供する。【解決手段】  カバーは、不凍栓が通る不凍栓挿通部を有する上部を備える。不凍栓挿通部は、上部の外方から内方に向かう方向に延びるように形成された湾曲可能な複数の片持ち片を有する。カバーは、さらに、不凍栓と連通する配管が通る少なくとも１つの配管挿通部を有する側面と、開口を有する底面とを備える。【選択図】  図１
2020165304.tif 000002
【特許請求の範囲】
【請求項１】
不凍栓に設けられた排水部からの排水の地中への排出を補助する排水補助器具において、少なくとも前記排水部を覆うカバーであって、
不凍栓が通る不凍栓挿通部を有する上部と、
不凍栓と連通する配管が通る少なくとも１つの配管挿通部を有する側面と、
開口を有する底面と
を備え、
前記不凍栓挿通部は、
前記上部の外方から内方に向かう方向に延びるように形成された湾曲可能な複数の片持ち片を有する、
カバー。
【請求項２】
前記複数の片持ち片の各々は板状である、
請求項１に記載のカバー。
【請求項３】
前記複数の片持ち片の各々は、前記不凍栓挿通部に不凍栓が通されたときに不凍栓と接触する不凍栓接触面を有し、
前記不凍栓接触面は、その幅方向が前記底面に対し水平に形成された、
請求項１又は請求項２に記載のカバー。
【請求項４】
前記複数の片持ち片の各々は、前記不凍栓挿通部に不凍栓が通されたときに不凍栓と接触する不凍栓接触面を有し、
前記不凍栓接触面は、その幅方向が前記底面に対し傾斜して形成された、
請求項１又は請求項２に記載のカバー。
【請求項５】
前記複数の片持ち片の各々は、該片持ち片の長さ方向に対してあらかじめ湾曲した状態に形成されている、
請求項１から請求項４までのいずれか１項に記載のカバー。
【請求項６】
前記複数の片持ち片の各々は、該複数の片持ち片の各々を横切る方向に形成された少なくとも１つの直線状又は曲線状の溝を有する、
請求項１から請求項５までのいずれか１項に記載のカバー。
【請求項７】
前記複数の片持ち片の各々は棒状である、
請求項１に記載のカバー。
【発明の詳細な説明】
【技術分野】
【０００１】
本発明は、排水ボックスとその上に配置されるカバーとからなる排水補助器具に関し、より具体的には、不凍栓が通る上部に湾曲可能な複数の片持ち片を設け、それにより種々のサイズの不凍栓に容易に適合させることを可能とする、施工性を向上させたカバーに関する。
【背景技術】
【０００２】
寒冷地においては、冬期間の水道凍結防止を目的として、不凍栓が設置されることが一般的である。不凍栓には、用途、形状又は構造などに応じて、不凍水抜栓、不凍水栓柱など４種類がある。これらのうち、不凍水抜栓を例として、以下にその機能を説明する。
不凍水抜栓は、弁本体と、弁本体の操作を行うハンドルとを備える。弁本体は、流入口、流出口及び排水口を有し、流入口には配水管につながる給水管（上流側配管）が接続され、流出口には末端器具に水を供給するための配管（下流側配管）が接続される。ハンドル操作によって弁本体を通水状態にしたときには、流入口から流出口に向かって水が流れ、末端器具に水が供給される。一方、ハンドル操作によって弁本体を水抜き状態にしたときには、流出口と排水口との間に流路が形成され、下流側配管内の水が排水口から排出される。
不凍水抜栓の弁本体が設けられた部分は地中に配置されており、排水口から排出された水は、地中に流出する。
【０００３】
排水口からの排水を円滑に行うために、通常、排水補助器具が、不凍栓とともに設置される。排水補助器具の一例が、特許文献１に開示される。この排水補助器具は、集積部材（４）及び排水ボックス（５）によって構成される。集積部材（４）は、不凍水抜栓（１）が通る孔部を天面に有し、底面が開放された中空形状の箱体であり、内部に不凍水抜栓（１）が配置される。排水ボックス（５）は、天面に複数の孔を有し、底面が開放された中空形状の箱体である。集積部材（４）は、排水ボックス（５）の天面の孔を覆うように配置される。
【０００４】
この排水補助器具は、次のように機能する。不凍水抜栓（１）による水抜き作業の際に、排水口（１−３）からの水は、排水ボックス（５）の天面上に排出される。このとき、排水口（１−３）の周囲は集積部材（４）で包囲されているため、排出された水は飛散することなく、排水ボックス（５）の天面に設けられた複数の孔から排水ボックス（５）の内部に落下する。落下した水は、排水ボックス（５）内に一時的に溜まり、その後地中に浸透する。このようにして、配管（３）内の水が、速やかに排出される。不凍水抜栓（１）の排水口（１−３）が集積部材（４）に包囲されるため、土砂による排水口（１−３）の閉塞を防ぐこともできる。
【０００５】
本出願の出願人は、特許文献１に開示されたものと同様の原理を用いた排水補助器具を製造、販売している（非特許文献１を参照されたい）。非特許文献１に記載されるドレンマス上部及びドレンマス本体は、それぞれ、特許文献１における集積部材及び排水ボックスに対応する。非特許文献１における排水補助器具のドレンマス上部は、底面が開放された概ね方形の中空の箱体であり、天面には不凍栓が通る挿通孔を有し、側面には上流側配管及び下流側配管が通る挿通孔を有する。ドレンマス上部は、側面の中央部分で縦に２分割された一対の分割部材を組み合わせることによって構成される。また、ドレンマス上部の天面は、必要に応じて切り取ることによって挿通孔の大きさ及び形状を変化させて、複数の種類の不凍栓に適応させることが可能となる、複数のノックアウト部を有する。
【先行技術文献】
【特許文献】
【０００６】
【特許文献１】実公昭６２−１３３０号公報
【非特許文献】
【０００７】
【非特許文献１】株式会社光合金製作所技術資料  排水補助器具  ドレンマス
【発明の概要】
【発明が解決しようとする課題】
【０００８】
非特許文献１の排水補助器具は、次のようにして設置される。
まず、地面に設けられた穴の底にドレンマス本体を配置し、その天面に不凍栓を載置して、その不凍栓の種類に応じて上流側配管のみ又は上流側配管及び下流側配管の両方を接続する。次に、二分割されたドレンマス上部を、排水口を覆うように不凍栓の側方から組み合わせて、ドレンマス本体の上に載置する。次に、ドレンマス上部全体を覆うようにビニールシートを被せる。最後に、ドレンマス本体及びドレンマス上部の周囲を土で埋める。
設置の際には、二分割されたドレンマス上部の組み立てを穴の中という限られた空間で行わなければならず、施工性の改善が求められている。なお、以下においては、ドレンマス本体を「排水ボックス」、ドレンマス上部を「カバー」という。
【０００９】
限られた空間での施工性を改善する方法として、排水ボックスに載置された不凍栓の上から、不凍栓を天面の挿通孔に通しながらカバーを被せるように配置することが考えられる。しかし、不凍栓の上部に配設されている部材（例えば、上部に配置される操作部など）が不凍栓の胴体より大きい場合などには、不凍栓の胴体に合わせた大きさの挿通孔では当該部材を通すことはできず、天面の挿通孔を拡大した状態でカバーを被せる必要がある。ところが、このような方法でカバーを被せた場合には、不凍栓の胴体と挿通孔との間に必要以上に大きな隙間が生じ、そこから入り込んだ多量の土砂が排水口を塞ぐ恐れがある。
【００１０】
本発明は、様々な径及び形状の不凍栓に対応可能な構造を有するカバーを提供することを課題とする。
【課題を解決するための手段】
【００１１】
本発明の課題は、不凍栓の胴体部分が収められる不凍栓挿通部分に、湾曲可能な複数の片持ち片を形成することによって、解決することができる。
【００１２】
本発明は、不凍栓に設けられた排水部からの排水の地中への排出を補助する排水補助器具に用いられる、少なくとも排水部を覆うカバーを提供する。カバーは、不凍栓が通る不凍栓挿通部を有する上部を備える。不凍栓挿通部は、上部の外方から内方に向かう方向に延びるように形成された湾曲可能な複数の片持ち片を有する。カバーは、さらに、不凍栓と連通する配管が通る少なくとも１つの配管挿通部を有する側面と、開口を有する底面とを備える。
【００１３】
一実施形態においては、複数の片持ち片の各々は、板状であることが好ましい。板状の片持ち片は、長さ方向に対してあらかじめ湾曲した形状とすることもできる。不凍栓挿通部に不凍栓が挿入されたときに湾曲するように形成された片持ち片、又はあらかじめ湾曲した状態に形成された片持ち片によって、不凍栓の径及び形状に合わせた開口をカバーに形成することができる。
【００１４】
一実施形態においては、複数の片持ち片の各々は、不凍栓挿通部に不凍栓が通されたときに不凍栓と接触する不凍栓接触面を有することが好ましく、不凍栓接触面は、その幅方向が底面に対し水平に形成されていることが好ましい。不凍栓接触面の幅方向が底面に対して水平に形成された片持ち片は、長さ方向に対してあらかじめ湾曲した形状とすることもできる。別の実施形態においては、片持ち片は、不凍栓挿通部に不凍栓が通されたときに不凍栓と接触する不凍栓接触面を有し、不凍栓接触面は、その幅方向が底面に対し傾斜して形成されていることが好ましい。不凍栓接触面の幅方向が底面に対して傾斜して形成された片持ち片は、長さ方向に対してあらかじめ湾曲した形状とすることもできる。不凍栓挿通部に不凍栓が挿入されたときに湾曲するように形成された片持ち片、又はあらかじめ湾曲した状態に形成された片持ち片によって、不凍栓の径及び形状に合わせた開口をカバーに形成することができる。このとき、湾曲した片持ち片の不凍栓接触面が不凍栓の胴体に接触するため、不凍栓と片持ち片との間に隙間が生じない。
【００１５】
一実施形態においては、複数の片持ち片の各々は、片持ち片を横切る方向に形成された少なくとも１つの直線状又は曲線状の溝を有することが好ましい。少なくとも１つの直線状又は曲線状の溝は、複数の片持ち片全体を合わせたときに円形又は略円形を構成するように形成されることが好ましい。片持ち片は、不凍栓挿通部に不凍栓が挿入されたときにこの溝で折り曲げられることによって全体として湾曲した形状となり、湾曲した片持ち片によって、不凍栓の径及び形状に合わせた開口をカバーに形成することができる。
【００１６】
一実施形態においては、複数の片持ち片の各々は、棒状であることが好ましい。棒状の片持ち片は、全体として湾曲した形状とすることができ、湾曲した片持ち片によって、不凍栓の径及び形状に合わせた開口をカバーに形成することができる。
【発明の効果】
【００１７】
本発明によれば、不凍栓の排水部を覆うカバーにおいて、不凍栓の胴体部分が収められる不凍栓挿通部分に複数の片持ち片が設けられていることにより、胴体部分の径及び形状に適した開口をカバーに形成することができる。したがって、カバーを不凍栓の上方から被せて設置することができるとともに、カバー内部への土砂の流入を減少させることができる。
【図面の簡単な説明】
【００１８】
【図１】本発明の一実施形態によるカバーの斜視図であり、不凍栓接触面の幅方向が水平である板状の片持ち片を有するカバーを示す。
【図２】本発明の一実施形態によるカバーの上面図である。
【図３】本発明の別の実施形態によるカバーの斜視図であり、不凍栓接触面の幅方向が水平で且つ長さ方向に湾曲した板状の片持ち片を有するカバーを示す。
【図４】本発明のさらに別の実施形態によるカバーの斜視図であり、不凍栓接触面の幅方向が傾斜した板状の片持ち片を有するカバーを示す。
【図５】本発明のさらに別の実施形態によるカバーの斜視図であり、不凍栓接触面の幅方向が傾斜し且つ長さ方向に湾曲した板状の片持ち片を有するカバーを示す。
【図６】本発明のさらに別の実施形態によるカバーの斜視図であり、放射状に配置された棒状の片持ち片を有するカバーを示す。
【図７】本発明のさらに別の実施形態によるカバーの斜視図であり、向かいあわせに配置された棒状の片持ち片を有するカバーを示す。
【図８】図１に示す本発明の一実施形態によるカバーの使用状態を示す斜視図であり、（ａ）から（ｅ）はそれぞれ、径又は形状が異なる不凍栓についてカバーが施工される場合の例を示す。
【図９】図４及び図６に示す本発明の別の実施形態によるカバーの使用状態を示す斜視図であり、（ａ）は図４に示されるカバーが施工される場合の例であり、（ｂ）は図６に示されるカバーが施工される場合の例である。
【発明を実施するための形態】
【００１９】
以下において、図面を参照しながら、本発明の実施形態を詳細に説明する。
図１は、本発明の一実施形態によるカバー１の斜視図であり、図２は、カバー１を天面の方向から見た上面図である。また、図３〜図７は、本発明の別の実施形態によるカバー１０１〜５０１の斜視図である。さらに、図８は、カバー１の使用状態を示す斜視図であり、図９は、カバー２０１及びカバー４０１の使用状態を示す斜視図である。図８（ａ）から図８（ｅ）はそれぞれ、径又は形状が異なる不凍栓３についてカバー１を施工する場合の例を示す。図９（ａ）及び図９（ｂ）はそれぞれ、不凍栓３についてカバー２０１及びカバー４０１を施工する場合の例を示す。カバー１、カバー２０１及びカバー４０１は、図８及び図９に示されるように、例えば非特許文献１に開示されるような排水ボックス２の上面に配置され、カバー１、カバー２０１及びカバー４０１の内部の空間には、不凍栓３の排水部が配置される。
【００２０】
（カバー１の概要）
カバー１は、板状の複数の片持ち片１４を有する上部１０と、上部１０の下方に配置された側面２０とを備える。上部１０は、概ね十角柱の形状を有するが、これに限定されるものではなく、必要に応じて、例えば円柱形状や四角柱形状などとすることもできる。側面２０は、六面で形成されており、全体として概ね六角柱の形状を有するが、これに限定されるものではなく、必要に応じて、例えば円柱形状や四角柱形状などとすることもできる。
カバー１は、さらに底面３０（すなわち、六角柱の底面）を備え、底面３０は、開口３１を有する。カバー１においては、底面３０全体が開口３１として形成されているが、これに限定されるものではなく、底面３０の一部に開口３１が形成されていてもよい。
【００２１】
側面２０の上方には、角部に設けられた４つのガイド２９ａと、さらにその上方の角部に設けられたガイド２９ｂとが設けられることが好ましい。これらのガイド２９ａ、２９ｂには、不凍栓の保護及び美観の向上を目的として、不凍栓を収納する非特許文献１に記載される不凍栓ボックスを載置することができる。ガイド２９ａとガイド２９ｂは、互いに段差を設けて配置されており、それぞれに異なる径の不凍栓ボックスを載置することができるようになっている。
【００２２】
カバー１は、製造及び施工の容易性の観点から、２つの部分を組み合わせて構成されることが好ましい。すなわち、カバー１は、縦に二分割された２つの分割筐体１ａ及び分割筐体１ｂを組み合わせて形成されることが好ましく、分割位置は、上部１０の最上部を含む平面（天面１０ａ）の中心をとおり、その平面に垂直な平面であることが好ましい。分割筐体１ａ及び分割筐体１ｂには、嵌合部２８が設けられることが好ましい。例えば分割筐体１ａには、側面２０の一方の分割縁部付近に嵌合孔２８ａが設けられ、他方の分割縁部付近には嵌合爪２８ｃを有する嵌合凸部２８ｂが設けられる。同様に、分割筐体１ｂには、分割筐体１ａの嵌合孔２８ａに対向する位置に、嵌合爪２８ｃを有する嵌合凸部２８ｂが設けられ、分割筐体１ａの嵌合凸部２８ｂに対向する位置に嵌合孔２８ａが設けられる。２つの分割筐体１ａ、１ｂは、一方の嵌合凸部２８ｂが他方の嵌合孔２８ａに挿入され、嵌合爪２８ｃが嵌合孔２８ａの枠に係合することによって、１つのカバー１として固定される。別の実施形態において、カバー１は、２つの部分を組み合わせて構成するのではなく、一体的に形成された一つの部材であってもよい。
【００２３】
カバー１の材質は、特に限定されるものではないが、取扱及び製造の容易性並びに耐腐食性の観点から、樹脂であることがより好ましく、ポリプロピレン樹脂であることが最も好ましい。樹脂製のカバー１は、汎用の製造方法、例えば射出成形方法などによって製造することができる。
【００２４】
（上部の構造）
まず、カバー１の上部１０の構造を説明する。上部１０は、不凍栓３の胴体部分を挿通させるのに適した構造の不凍栓挿通部１１を有する。不凍栓挿通部１１は、板状で外形が概ね台形状の１８個の片持ち片１４と、片持ち片１４の内方に形成された上部開口１６とを有する。この実施形態では、１８個の片持ち片１４が上部１０の最上部に位置して天面１０ａを形成しているが、これに限定されるものではなく、１８個の片持ち片１４は、上部１０の最上部から下方に下がったいずれかの位置（上部１０の高さ方向のいずれかの位置）に配置されていてもよい。なお、カバー１が、２つの部材が組み合わされるのではなく一体的に形成された一つの部材として構成される場合には、図１において分割位置にある片持ち片１４（他の片持ち片の半分の幅の片持ち片）は、他の片持ち片と同じ幅の一つの片持ち片として形成することができ、このように形成されたときにはカバー１の片持ち片１４の数は１６個となる。
【００２５】
１８個の片持ち片１４は、各々の基部が上部１０の側壁の内面に連続し、それぞれ上部１０の外方から内方に向かう方向に延びるように形成され、隙間１３を介して互いに上部１０の周方向に並ぶように配置されている。板状の片持ち片１４の各々は、不凍栓挿通部１１に不凍栓３が通されたときに不凍栓３の胴体と接触する不凍栓接触面１４ｆ、１４ｇを有する。カバー１の不凍栓接触面１４ｆ、１４ｇは、幅方向が底面３０に対し水平に形成されている。１８個の片持ち片１４の先端部（頂辺１４ｄ）のさらに内方には、上部開口１６が位置する。
【００２６】
片持ち片１４の各々は、中間部分に形成された第１中間溝１４ｂ１及び第２中間溝１４ｂ２の２つの溝で構成される、中間溝１４ｂを有する。片持ち片１４の各々の最外方の基部には、基部溝１４ａが構成される。第１中間溝１４ｂ１及び第２中間溝１４ｂ２並びに基部溝１４ａは、片持ち片１４の上面である不凍栓接触面１４ｆに形成された凹みとして、内方から外方にかけて順に形成されており、したがって、片持ち片１４の各々は、第１中間溝１４ｂ１及び第２中間溝１４ｂ２並びに基部溝１４ａのすべて又はいずれかの部分で折り曲げることによって、長さ方向に湾曲させることができる。
【００２７】
第１中間溝１４ｂ１及び第２中間溝１４ｂ２並びに基部溝１４ａの各々は、片持ち片１４の幅方向に延びる直線状の溝であり、１８個の片持ち片１４全体を合わせたときに各々の溝が略円形（より詳細には、十六角形）を構成するように、形成されている。したがって、１８個の片持ち片１４を、第１中間溝１４ｂ１及び第２中間溝１４ｂ２並びに基部溝１４ａの部分で上方に折り曲げたときに、これらの溝に対応する片持ち片１４の下面である不凍栓接触面１４ｇによって、略円形の開口が形成される。
【００２８】
なお、本実施形態においては、分割筐体１ａ及び分割筐体１ｂを予め組み合わせたカバー１を、不凍栓３の上から、不凍栓３を不凍栓挿通部１１に通しながら被せるように設置するので、片持ち片１４は、第１中間溝１４ｂ１及び第２中間溝１４ｂ２並びに基部溝１４ａのいずれか又はすべての部分で上方に折り曲げられる。しかしながら、別の設置方法として、不凍栓３の排水口の側方から分割筐体１ａ及び分割筐体１ｂを組み合わせる従来の方法を用いてもよく、その場合には、片持ち片１４が、第１中間溝１４ｂ１及び第２中間溝１４ｂ２並びに基部溝１４ａの部分で上方又は下方のどちらに折り曲げられてもよい。上方に折り曲げられたときには、片持ち片１４の下面である不凍栓接触面１４ｇが不凍栓３の側面に接触し、下方に折り曲げられたときには、片持ち片１４の上面である不凍栓接触面１４ｆが不凍栓３の側面に接触することになる。
【００２９】
別の実施形態において、第１中間溝１４ｂ１及び第２中間溝１４ｂ２並びに基部溝１４ａの各々は、片持ち片１４の基部方向に突出する曲線状の溝として形成することもでき、この場合には、１８個の片持ち片１４全体を合わせたときに、第１中間溝１４ｂ１及び第２中間溝１４ｂ２並びに基部溝１４ａが円形を構成することになる。さらに別の実施形態において、第１中間溝１４ｂ１及び第２中間溝１４ｂ２並びに基部溝１４ａの各々は、それぞれ頂辺１４ｄの方向に突出する曲線状の溝として形成することもできる。片持ち片１４の各々における溝の数は、３つに限定されるものではなく、例えば、片持ち片１４の中間部分で幅方向に延びる１又は３つ以上の中間溝が形成されていてもよい。
【００３０】
本実施形態においては、１８個の片持ち片１４全体を合わせたときに、第１中間溝１４ｂ１及び第２中間溝１４ｂ２並びに基部溝１４ａが略円形を構成しているが、この形状に限定されるものではなく、例えば不凍栓の胴体の形状に対応した形状であってもよく、四角柱形状であれば四角形、六角柱形状であれば六角形に構成してもよい。
【００３１】
第１中間溝１４ｂ１の両端部には、片持ち片１４の側辺１４ｃ１、１４ｃ２の各々に形成された切欠き１４ｅ１、１４ｅ２が配置されることが好ましい。切欠き１４ｅ１、１４ｅ２が、第１中間溝１４ｂ１の両端部に配置されることによって、片持ち片１４の、第１中間溝１４ｂ１での折り曲げをより容易にすることができる。切欠き１４ｅ１、１４ｅ２は、半円形状のものとして形成されているが、折り曲げを容易にすることができるものであればこれに限定されるものではなく、例えば三角形状であってもよい。また、本実施形態においては、第１中間溝１４ｂ１のみに切欠き１４ｅ１、１４ｅ２が配置されているが、第２中間溝１４ｂ２及び基部溝１４ａの両端部にも切欠き１４ｅ１、１４ｅ２が配置されていてもよい。
【００３２】
第１中間溝１４ｂ１及び第２中間溝１４ｂ２並びに基部溝１４ａの深さ及び幅は、現場における施工時に片持ち片１４をこれらの部分で折り曲げることに支障がなければ、特に限定されるものではない。また、第１中間溝１４ｂ１及び第２中間溝１４ｂ２並びに基部溝１４ａの横断面形状は、本実施形態においては概ね逆三角形状であるが、これに限定されるものではなく、例えば逆台形状や半円形状であってもよい。さらに、第１中間溝１４ｂ１及び第２中間溝１４ｂ２並びに基部溝１４ａは、本実施形態においては片持ち片１４の上面である不凍栓接触面１４ｆに形成されているが、これに限定されるものではなく、例えば、片持ち片１４の下面である不凍栓接触面１４ｇのみに形成されていてもよく、片持ち片１４の不凍栓接触面１４ｆ及び不凍栓接触面１４ｇの両方に形成されていてもよい。
【００３３】
片持ち片１４の頂辺１４ｄの各々は、全体を合わせたときに上部開口１６が円形となるように、曲線状に形成されることが好ましい。別の実施形態においては、頂辺１４ｄの各々は、曲線状ではなく直線状に形成されてもよく、この場合には、１８個の頂辺１４ｄ全体を合わせたときに上部開口１６が略円形（より詳細には十八角形）を形成する。上部開口１６の大きさは、挿通される可能性のある不凍栓３のうち、胴体部分の径が最も小さいものに対応するように設計されている。ただし、上部開口１６は必ずしも設ける必要はなく、片持ち片１４の頂辺１４ｄが天面１０ａの中心部に配置されるように形成してもよい。
【００３４】
（側面の構造）
次に、カバー１の側面２０の構造を説明する。側面２０は、六面で形成され、全体として概ね六角柱の形状を有し、対向する２つの広い面２０ａ、２０ｂの各々に、同じ構造の配管挿通部２１を有する。配管挿通部２１には不凍栓３と接続される配管が挿通される。
通常は、面２０ａ及び面２０ｂの一方の配管挿通部２１に、配水管と不凍栓３の流入口とを接続する上流側配管４が通され、他方の配管挿通部２１に、末端器具と不凍栓３の流出口とを接続する下流側配管５が通される。
【００３５】
配管挿通部２１は、最も外方に設けられた４個の側面貫通孔２２と、４個の側面貫通孔２２の内方に設けられたノックアウト部２７と、ノックアウト部２７の内方に形成された逆Ｕ字形状の側面開口２６とを有する。側面貫通孔２２の各々は、面２０ａ、２０ｂを貫通する円弧形状又は直線状の細長い孔として形成され、面２０ａ、２０ｂの周方向に互いに近接するように設けられており、４個の側面貫通孔２２が全体として逆Ｕ字形状を構成するようになっている。隣接する側面貫通孔２２の間には切断部２５が設けられており、すべての切断部２５を切断することによって、ノックアウト部２７が除去され、側面貫通孔２２の外側の縁を外周とする逆Ｕ字形状の開口が形成される。側面開口２６は、挿通される可能性のある上流側配管４及び下流側配管５のうち施工頻度が高い径に対応するように設計されており、ノックアウト部２７が除去された後の逆Ｕ字形状の開口は、挿通される可能性のある上流側配管４及び下流側配管５のうち径が最も大きいものに対応するように設計されている。側面貫通孔２２の位置、数及び全体の形状、切断部２５の数及び位置、ノックアウト部２７の数及び形状、並びに側面開口２６の形状は、図１に示されるものに限定されない。
【００３６】
本発明に係るカバーは、例えば特開２００５−２９９１５１号公報に記載される湯水抜栓に用いることもできる。この湯水抜栓は、凍結を防止するために、寒冷地における室内の水を通水させる水道配管の水抜きだけではなく、湯を通水させる水道配管の水抜きも１回の操作で行うことができる機能を持つ。湯水抜栓には、その流入口に接続される水の上流側配管及び流出口に接続される下流側配管と、湯受け口に接続される湯配管との合計３本の水道配管が接続される。したがって、湯水抜栓に対応するカバー１の側面には、図示しないが、例えば対向する配管挿通部２１が設けられた面以外の面に、湯配管を挿通する湯配管挿通部も設けられることになる。湯配管挿通部は、ノックアウト部を設けておき、必要に応じてノックアウト部の一部を除去する構造として形成されていてもよい。このように、本発明の主旨を逸脱しない範囲内で種々変更して実施することは可能である。
【００３７】
図３には、図１のカバー１の不凍栓挿通部１１とは異なる構造の不凍栓挿通部１１１を有するカバー１０１が示される。なお、カバー１０１の側面２０及び底面３０は、図１に示されるカバー１と同じ構造を採用している。この実施形態において、カバー１０１は、不凍栓挿通部１１１を有する上部１１０を備え、上部１１０は、板状の複数の片持ち片１１４を有する。片持ち片１１４の各々は、片持ち片１１４の基部から先端部（頂辺１１４ｄ）に向かうに伴って上方に湾曲している。このように片持ち片１１４を長さ方向に対してあらかじめ湾曲させておくことによって、不凍栓３の挿通をより容易に行うことができる。別の実施形態においては、片持ち片１１４の各々に、図１及び図２に示す中間溝１４ｂ及び基部溝１４ａが形成されてもよい。中間溝１４ｂ及び基部溝１４ａが形成された片持ち片１１４の各々は、中間溝１４ｂ及び基部溝１４ａで折り曲げることによって、長さ方向に湾曲させ易くすることができる。
【００３８】
図４には、図1のカバー１の不凍栓挿通部１１とは異なる構造の不凍栓挿通部２１１を有するカバー２０１が示される。なお、カバー２０１の側面２０及び底面３０は、図１に示されるカバー１と同じ構造を採用している。
【００３９】
カバー２０１は、不凍栓３の胴体部分を挿通させるのに適した構造の不凍栓挿通部２１１を有する上部２１０を備える。不凍栓挿通部２１１は、板状で外形が概ね台形状の１６個の片持ち片２１４と、片持ち片２１４の内方に形成された上部開口２１６とを有する。
【００４０】
１６個の片持ち片２１４は、各々の基部が上部２１０の側壁の内面に連続し、且つ底面３０に対して傾斜しており、それぞれ上部２１０の外方から内方に向かう方向に延びるように形成され、互いに上部２１０の周方向に並ぶように配置されている。板状の片持ち片２１４の各々は、不凍栓挿通部２１１に不凍栓３が通されたときに不凍栓３の胴体と接触する不凍栓接触面２１４ｆ及び２１４ｇを有する。不凍栓接触面２１４ｆは、上部２１０の上方から見える面であり、不凍栓接触面２１４ｆの裏面が不凍栓接触面２１４ｇである。不凍栓接触面２１４ｆ及び２１４ｇは、幅方向が底面３０に対し傾斜して形成されている。１６個の片持ち片２１４の先端部（頂辺２１４ｄ）のさらに内方には、上部開口２１６が位置する。
【００４１】
本実施形態では、１６個の片持ち片２１４の基部が上部２１０の側壁の内面に連続し、且つ、不凍栓接触面２１４ｆ及び不凍栓接触面２１４ｇの幅方向が底面３０に対して傾斜して形成されているが、該基部が底面３０に対して垂直に形成されていてもよい。その場合には、片持ち片２１４は、その基部から先端部（頂辺２１４ｄ）への長さ方向の途中で捩じられて、不凍栓接触面２１４ｆ及び不凍栓接触面２１４ｇの幅方向が、基部近くでは底面３０に対して垂直になるように形成され、先端部近くでは底面３０に対して傾斜するように形成されることが好ましい。
【００４２】
別の実施形態においては、片持ち片２１４の各々に、図１及び図２に示す中間溝１４ｂ及び基部溝１４ａが形成されてもよい。中間溝１４ｂ及び基部溝１４ａが形成された片持ち片２１４の各々は、中間溝１４ｂ及び基部溝１４ａで折り曲げることによって、長さ方向に湾曲させ易くすることができる。
【００４３】
片持ち片２１４の頂辺２１４ｄの各々は、全体を合わせたときに上部開口２１６が略円形となるように、形成されることが好ましい。上部開口２１６の大きさは、挿通される可能性のある不凍栓３のうち、胴体部分の径が最も小さいものに対応するように設計されている。ただし、上部開口２１６は必ずしも設ける必要はなく、片持ち片２１４の頂辺２１４ｄが上部２１０の中心部に配置されるように形成してもよい。
【００４４】
図５には、図１のカバー１の不凍栓挿通部１１とは異なる構造の不凍栓挿通部３１１を有するカバー３０１が示される。なお、カバー３０１の側面２０及び底面３０は、図１に示されるカバー１と同じ構造を採用している。
【００４５】
カバー３０１は、不凍栓３の胴体部分を挿通させるのに適した構造の不凍栓挿通部３１１を有する上部３１０を備える。不凍栓挿通部３１１は、板状で外形が概ね台形状の１６個の片持ち片３１４と、片持ち片３１４の内方に形成された上部開口３１６とを有する。
【００４６】
１６個の片持ち片３１４は、各々の基部が上部３１０の側壁の内面に連続し、且つ底面３０に対して傾斜しており、それぞれ上部３１０の外方から内方に向かう方向に延びるように形成され、互いに上部３１０の周方向に並ぶように配置されている。板状の片持ち片３１４の各々は、不凍栓挿通部３１１に不凍栓３が通されたときに不凍栓３の胴体と接触する不凍栓接触面３１４ｆ及び３１４ｇを有する。不凍栓接触面３１４ｆは、上部３１０の上方から見える面であり、不凍栓接触面３１４ｆの裏面が不凍栓接触面３１４ｇである。不凍栓接触面３１４ｆ及び３１４ｇは、幅方向が底面３０に対し傾斜して形成されている。１６個の片持ち片３１４の先端部（頂辺３１４ｄ）のさらに内方には、上部開口３１６が位置する。
【００４７】
図５の実施例については、片持ち片３１４が長さ方向に対して湾曲している。詳細には、片持ち片３１４は、その先端部（頂辺３１４ｄ）が不凍栓接触面３１４ｆ（表面）側に向かうように湾曲している。片持ち片３１４を長さ方向に対してあらかじめ湾曲させておくことによって、不凍栓３の挿通をより容易に行うことができる。１６個の片持ち片３１４が湾曲したときに、片持ち片３１４の不凍栓接触面３１４ｇ（裏面）によって、不凍栓３の胴体部分の形状に対応する開口が形成される。本実施形態においては、分割筐体１ａ及び分割筐体１ｂを予め組み合わせたカバー３０１を、不凍栓３の上から、不凍栓３を不凍栓挿通部３１１に通しながら被せるように設置するので、片持ち片３１４は、不凍栓接触面３１４ｆ（表面）側に湾曲する。別の設置方法として、不凍栓３の排水口の側方から分割筐体１ａ及び分割筐体１ｂを組み合わせる従来の方法を用いてもよく、その場合には、片持ち片３１４が、不凍栓接触面３１４ｆ（表面）側又は不凍栓接触面３１４ｇ（裏面）側のどちらに湾曲してもよい。
【００４８】
本実施形態では、１６個の片持ち片３１４の基部が上部３１０の側壁の内面に連続し、且つ、不凍栓接触面３１４ｆ及び不凍栓接触面３１４ｇの幅方向が底面３０に対して傾斜して形成されているが、該基部が底面３０に対して垂直に形成されていてもよい。その場合には、片持ち片３１４は、その基部から先端部（頂辺３１４ｄ）への長さ方向の途中で捩じられて、不凍栓接触面３１４ｆ及び不凍栓接触面３１４ｇの幅方向が、基部近くでは底面３０に対して垂直になるように形成され、先端部近くでは底面３０に対して傾斜するように形成されることが好ましい。
【００４９】
別の実施形態については、片持ち片３１４の各々に、図１及び図２に示す中間溝１４ｂ及び基部溝１４ａが形成されてもよい。中間溝１４ｂ及び基部溝１４ａが形成された片持ち片３１４の各々は、中間溝１４ｂ及び基部溝１４ａで折り曲げることによって、長さ方向に湾曲させ易くすることができる。
【００５０】
片持ち片３１４の頂辺３１４ｄの各々は、全体を合わせたとき上部開口３１６が略円形となるように形成されることが好ましい。上部開口３１６の大きさは、挿通される可能性のある不凍栓３のうち、胴体部分の径が最も小さいものに対応するように設計されている。ただし、上部開口３１６は必ずしも設ける必要はなく、片持ち片３１４の頂辺３１４ｄが上部３１０の中心部に配置されるように形成してもよい。
【００５１】
図６には、図１のカバー１の不凍栓挿通部１１とは異なる構造の不凍栓挿通部４１１を有するカバー４０１が示される。なお、カバー４０１の側面２０及び底面３０は、図１に示されるカバー１と同じ構造を採用している。
【００５２】
カバー４０１は、不凍栓３の胴体部分を挿通させるのに適した構造の不凍栓挿通部４１１を有する上部４１０を備える。不凍栓挿通部４１１は、棒状で断面が概ね円形状の小径の２６個の片持ち片４１４と、片持ち片４１４の内方に形成された上部開口４１６とを有する。
【００５３】
２６個の片持ち片４１４は、各々の基部が上部４１０の側壁の内面に連続し、それぞれ上部４１０の外方から内方に向かう方向に直線状に延びるように形成され、互いに上部４１０の周方向に並ぶように配置されている。２６個の片持ち片４１４の頂辺４１４ｄのさらに内方には、上部開口４１６が位置する。
【００５４】
片持ち片４１４は、小径の棒状で形成されることによって、片持ち片４１４の湾曲を容易にすることができる。２６個の片持ち片４１４が湾曲したときに、片持ち片４１４の全周によって、不凍栓３の胴体部分の形状に対応する開口が形成される。本実施形態においては、分割筐体１ａ及び分割筐体１ｂを予め組み合わせたカバー４０１を、不凍栓３の上から、不凍栓３を不凍栓挿通部４１１に通しながら被せるように設置するので、片持ち片４１４は、上部４１０の最上部を含む平面に対し上方又は左右方向のいずれかに湾曲する。別の設置方法として、不凍栓３の排水口の側方から分割筐体１ａ及び分割筐体１ｂを組み合わせる従来の方法を用いてもよく、その場合には、片持ち片４１４が、上部４１０の最上部を含む平面に対し上方、下方又は左右方向のいずれかに湾曲することになる。
【００５５】
棒状の片持ち片４１４の各々については、図示しないが片持ち片４１４の長さ方向に対し、上下左右いずれかの方向にあらかじめ湾曲させて形成してもよい。棒状で長さ方向に対しあらかじめ湾曲させた片持ち片４１４によって、不凍栓を挿通させるときに、図６に示す直線状の棒状の片持ち片４１４よりも、より容易に湾曲させることができる。
【００５６】
図６の実施形態に示す棒状の片持ち片４１４の各々については、図７に示されるカバー５０１のように分割筐体１ａ及び分割筐体１ｂに設けた片持ち片５１４が各々対向するように設けてもよい。また、図示しないが、図７の片持ち片５１４の各々は、片持ち片５１４の長さ方向に対し上方にあらかじめ湾曲させた状態で形成することによって、不凍栓を挿通させるときにより容易に湾曲させることができる。
【００５７】
図３、図４、図５、図６及び図７の各片持ち片の数及び形状については、本発明の機能及び効果が得られるのであれば、各図に示されるものに限定されない。例えば、図３、図４及び図５に示す板状の片持ち片の枚数を増減してもよい。また、図６及び図７に示す棒状の片持ち片については、基部側の径を先端部側より大きく又は小さくしたり、基部から先端部までの途中の径を他の部分より小さくしたりすることによって、片持ち片をより湾曲させ易くしてもよい。また、棒状の片持ち片の場合には、図６及び図７に示される複数の片持ち片４１４、５１４の下方に、これらの片持ち片４１４、５１４の間の隙間を埋めるように、複数の層にわたる片持ち片を形成してもよい。このように複数の片持ち片の複数の層を配置することによって、カバーを地中に設置した際のカバー内部への土砂の流入をより減少させることができる。
【００５８】
次に、カバーの使用状態について説明する。代表として、図１のカバー１、図４のカバー２１０及び図６のカバー４０１の使用状態について説明する。
【００５９】
（カバー１の使用状態）
図８は、カバー１の使用状態を示す斜視図である。図８（ａ）から図８（ｅ）はそれぞれ、胴体部分の径又は形状が異なる不凍栓３について施工される場合の例を示す。図８（ａ）から図８（ｅ）にかけて、順に不凍栓３の胴体部分の径が大きくなっており、胴体部分の径及び形状に応じて不凍栓挿通部１１の形状をどのように変化させるかが示されている。
【００６０】
図８（ａ）は、胴体部分の径が最も小さい不凍栓３（想定される直径は２７ｍｍ程度）についてカバー１が使用される場合の例を示す。この場合には、胴体部分の径は上部開口１６の直径より小さく、したがって、片持ち片１４が湾曲していない。この例においては、不凍栓の種類は不凍水栓柱であり、下流側配管がないため、上流側配管４のみが不凍栓３に接続される。そのため、図の手前の配管挿通部２１には配管が挿通されていない。配管挿通部２１の部分に位置する上流側配管４の径が小さいため、配管挿通部２１のノックアウト部２７は除去されていない。
【００６１】
図８（ｂ）は、図８（ａ）に示される不凍栓３より胴体部分の径が大きい不凍栓（想定される直径は４８ｍｍ程度）についてカバー１が使用される場合の例を示す。この場合には、胴体部分の径は、上部開口１６の径より大きく、複数の第１中間溝１４ｂ１によって形成される略円形の開口の径より小さいため、片持ち片１４の各々は、第１中間溝１４ｂ１の部分で上方に折り曲げられている。上方に折り曲げられた片持ち片１４の頂辺１４ｄが不凍栓３の胴体の外表面に当たるため、外表面と頂辺１４ｄとの間には、ほとんど隙間が形成されていない。この例における不凍栓の種類は不凍水抜栓であり、上流側配管４及び下流側配管５が接続される。そのため、図の手前の配管挿通部２１にも配管が挿通されている。配管挿通部２１の部分に位置する上流側配管４及び下流側配管５の径が小さいため、配管挿通部２１のノックアウト部２７は除去されていない。
【００６２】
図８（ｃ）は、図８（ｂ）に示される不凍栓３より胴体部分の径が大きく（想定される１辺は６０ｍｍ程度）、胴体部分が四角柱形状である不凍栓についてカバー１が使用される場合の例を示す。この場合には、胴体部分の径は、複数の第１中間溝１４ｂ１によって形成される略円形の径より大きく、複数の第２中間溝１４ｂ２によって形成される略円形の径より小さいため、片持ち片１４の各々は、第２中間溝１４ｂ２の部分で上方に折り曲げられている。ただし、不凍栓３の四角柱形状の胴体部分の角部に対応する片持ち片１４のみは、基部溝１４ａの部分で上方に折り曲げられる。片持ち片１４の頂辺１４ｄは、不凍栓３の胴体の外表面に当たっている。この例における不凍栓の種類は、図８（ａ）と同様の不凍水栓柱であり、下流側配管がないため、上流側配管４のみが不凍栓に接続される。そのため、図の手前の配管挿通部２１には配管が挿通されていない。配管挿通部２１の部分に位置する上流側配管４の径が小さいため、配管挿通部２１のノックアウト部２７は除去されていない。
【００６３】
図８（ｄ）は、図８（ｂ）に示される不凍栓３より胴体部分の径が大きく（想定される直径は６０ｍｍ程度）、胴体部分が円柱形状である不凍栓についてカバー１が使用される場合の例を示す。この場合は、胴体部分の径は、複数の第１中間溝１４ｂ１によって形成される略円形の径より大きく、複数の第２中間溝１４ｂ２によって形成される略円形の径より小さいため、片持ち片１４の各々は、第２中間溝１４ｂ２の部分で上方に折り曲げられている。片持ち片１４の頂辺１４ｄは、不凍栓３の胴体の外表面に当たっている。この例における不凍栓の種類は、図８（ａ）、図８（ｃ）と同様の不凍水栓柱であり、下流側配管がないため、上流側配管４のみが不凍栓に接続される。そのため、図の手前の配管挿通部２１には配管が挿通されていない。配管挿通部２１の部分に位置する上流側配管４の径が小さいため、配管挿通部２１のノックアウト部２７は除去されていない。
【００６４】
図８（ｅ）は、最も大径の胴体部分を持つ不凍栓（想定される直径は８８ｍｍ程度）についてカバー１が使用される場合の例を示す。この場合は、胴体部分の径は、複数の第２中間溝１４ｂ２によって形成される略円形の径より大きく、複数の基部溝１４ａによって形成される略円形の径より小さいため、片持ち片１４の各々は、基部溝１４ａの部分で上方に折り曲げられている。この例における不凍栓は、図８（ｂ）と同様の不凍水抜栓であり、上流側配管４及び下流側配管５が接続される。そのため、図の手前の配管挿通部２１にも配管が挿通されている。配管挿通部２１の部分に位置する上流側配管４及び下流側配管５の径が側面開口２６より大きいため、切断部２５が切断されることによって配管挿通部２１のノックアウト部２７が除去されている。
【００６５】
（カバー２０１及びカバー４０１の使用状態）
図９は、図４の実施例の片持ち片２１４を有するカバー２０１の使用状態、及び、図６の実施例の片持ち片４１４を有するカバー４０１の使用状態を示す斜視図である。
【００６６】
図９（ａ）は、図８（ｂ）に示される不凍栓３より胴体部分の径が大きく（想定される直径は６０ｍｍ程度）、胴体部分が円柱形状である不凍栓についてカバー２０１が使用される場合の例を示す。この場合には、不凍栓３の胴体部分の径が上部開口２１６の径より大きいため、片持ち片２１４の各々は、斜め上方に湾曲し、湾曲した片持ち片２１４の不凍栓接触面２１４ｇが、不凍栓３の胴体の外表面に当たっている。この例における不凍栓の種類は不凍水栓柱であり、下流側配管がないため、上流側配管４のみが不凍栓に接続される。そのため、図の手前の配管挿通部２１には配管が挿通されていない。配管挿通部２１の部分に位置する上流側配管４の径が小さいため、配管挿通部２１のノックアウト部２７は除去されていない。
【００６７】
図９（ｂ）は、図９（ａ）に示される不凍栓と同じ不凍栓３についてカバー４０１が使用される場合の例を示す。この場合には、不凍栓３の胴体部分の径が上部開口４１６の径より大きいため、片持ち片４１４の各々は、上方に湾曲している。この例における不凍栓の種類も不凍水栓柱であり、下流側配管がないため、上流側配管４のみが不凍栓に接続される。そのため、図の手前の配管挿通部２１には配管が挿通されていない。配管挿通部２１の部分に位置する上流側配管４の径が小さいため、配管挿通部２１のノックアウト部２７は除去されていない。
【００６８】
図８に示すカバー１と、図９（ａ）のカバー２０１及び図９（ｂ）のカバー４０１とを比較すると、図８のカバー１の片持ち片１４の各々が上方に折り曲げられるのに対し、図９（ａ）のカバー２０１の片持ち片２１４は斜め上方に湾曲した状態になっている。また、カバー４０１の片持ち片４１４は、説明をわかりやすくするために図９（ｂ）では上方のみに湾曲した状態が示されているが、片持ち片４１４の断面が円形であるので、実際には左右にも湾曲した状態になっている。したがって、カバー設置後は、カバー２０１及びカバー４０１のほうが、カバー１よりも上部の上方への出っ張りを抑えられる。このように、片持ち片の配置及び形状を種々工夫することで、副次的な効果も得られる。
【符号の説明】
【００６９】
１、１０１、２０１、３０１、４０１、５０１  カバー
１ａ、１ｂ  分割筐体
１０、１１０、２１０、３１０、４１０、５１０  上部
１０ａ  天面
１１、１１１、２１１、３１１、４１１、５１１  不凍栓挿通部
１３、１１３  隙間
１４、１１４、２１４、３１４、４１４、５１４  片持ち片
１４ａ  基部溝
１４ｂ  中間溝
１４ｂ１  第１中間溝
１４ｂ２  第２中間溝
１４ｃ１、 １４ｃ２  側辺
１４ｄ、１１４ｄ、２１４ｄ、３１４ｄ、４１４ｄ  頂辺
１４ｅ１、 １４ｅ２  切欠き
１４ｆ、２１４ｆ、３１４ｆ  不凍栓接触面
１４ｇ、２１４ｇ、３１４ｇ  不凍栓接触面
１６、１１６、２１６、３１６、４１６、５１６  上部開口
２０  側面
２０ａ、２０ｂ  広い面
２１  配管挿通部
２２  側面貫通孔
２５  切断部
２６  側面開口
２７  ノックアウト部
２８  嵌合部
２８ａ  嵌合孔
２８ｂ  嵌合凸部
２８ｃ  嵌合爪
２９ａ、２９ｂ  ガイド
３０  底面
３１  開口
２  排水ボックス
３  不凍栓
４  上流側配管
５  下流側配管
【図１】
2020165304.tif 000003
【図２】
2020165304.tif 000004
【図３】
2020165304.tif 000005
【図４】
2020165304.tif 000006
【図５】
2020165304.tif 000007
【図６】
2020165304.tif 000008
【図７】
2020165304.tif 000009
【図８】
2020165304.tif 000010
【図９】
2020165304.tif 000011